【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
プログラムが格納される記憶部と、前記プログラムの実行が可能な制御部と、通信機能を持つ通信部とを備える移動局と、
前記移動局との通信を可能にする通信部と、前記プログラムを修正するための修正情報が予め格納される記憶部と、受信信号の電界強度を測定する電界測定部とを備える基地局とからなる無線通信システムにおけるプログラム動作変更方法であって、
前記基地局が前記移動局からの上り信号を受信するとき、前記基地局の電界測定部により、前記上り信号の電界強度を測定し、
前記測定された上り信号の電界強度が第１の閾値以上である場合、前記基地局の通信部により、前記修正情報を前記移動局に送信し、
前記制御部により、前記移動局の通信部により受信する前記修正情報に基づき、前記移動局の記憶部に格納される前記プログラムを変更することを特徴とするプログラム動作変更方法。
【請求項２】
プログラムが格納される記憶部と、前記プログラムの実行が可能な制御部と、通信機能を持つ通信部とを備える移動局と、
前記移動局との通信を可能にする通信部と、前記プログラムを修正するための修正情報が予め格納される記憶部と、受信信号の電界強度を測定する電界測定部とを備える基地局とを有し、
前記基地局の電界測定部は、前記基地局が前記移動局からの上り信号を受信するとき、前記上り信号の電界強度を測定し、
前記基地局の通信部は、前記測定された上り信号の電界強度が第１の閾値以上である場合、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項３】
移動局との通信を可能にする通信部と、プログラムを修正するための修正情報が予め格納される記憶部と、受信信号の電界強度を測定する電界測定部とを備える基地局であって、
前記電界測定部は、前記移動局からの上り信号を受信するとき、前記上り信号の電界強度を測定し、
前記通信部は、前記測定された上り信号の電界強度が第１の閾値以上である場合、前記修正情報を前記移動局に送信することを特徴とする基地局。
【請求項４】
プログラムが格納される記憶部と、前記プログラムの実行が可能な制御部と、通信機能を持つ通信部とを備える移動局と、
前記移動局との通信を可能にする通信部と、前記プログラムを修正するための修正情報が予め格納される記憶部とを備える基地局とを有し、
前記基地局の記憶部には、前記基地局が前記移動局に対して下り信号を送信し、前記移動局が前記受信する下り信号に応答して上り信号を送信するとき、前記基地局が前記下り信号を送信してから所定時間内に前記基地局が前記上り信号を受信するイベントの発生回数、または、前記基地局が前記下り信号を送信してから所定時間内に前記基地局が前記上り信号を受信しないイベントの発生回数のいずれかが記憶され、
前記基地局の通信部は、所定期間内の前記発生回数が所定の閾値を超えるか否かに応じて、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項５】
プログラムが格納される記憶部と、前記プログラムの実行が可能な制御部と、通信機能を持つ通信部と、現在位置を検知する位置検知部とを備える移動局と、
前記移動局との通信を可能にする通信部と、前記プログラムを修正するための修正情報が予め格納される記憶部とを備える基地局とを有し、
前記基地局の記憶部には、前記移動局が所定距離移動する毎に前記基地局に対し前記位置情報を含む上り信号を送信するとき、前記基地局が受信する前記上り信号に含まれる前記位置情報に基づき、前記基地局が前記上り信号を受信する間に前記移動局が移動した距離が前記所定距離に一致する回数、または、前記移動距離が前記所定距離に一致しない回数のいずれかが記憶され、
前記基地局の通信部は、所定期間内の前記回数が所定の閾値を超えるか否かに応じて、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項６】
プログラムが格納される記憶部と、前記プログラムの実行が可能な制御部と、通信機能を持つ通信部と、現在位置を検知する位置検知部とを備える移動局と、
前記移動局との通信を可能にする通信部と、前記プログラムを修正するための修正情報と前記移動局が位置する場所における受信感度情報とが予め格納される記憶部とを備える基地局とを有し、
前記位置検知部は、前記移動局の記憶部に目的地を特定する位置情報が格納されるとき、前記移動局の現在位置を特定する位置情報を取得し、
前記移動局の通信部は、前記目的地と前記現在位置を特定する位置情報を含む上り信号を、前記基地局に送信し、
前記基地局の通信部は、前記受信感度情報に基づき、前記目的地と前記現在地の受信感度が共に良好と判断される場合、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項７】
プログラムが格納される記憶部と、前記プログラムの実行が可能な制御部と、通信機能を持つ通信部と、現在位置を検知する位置検知部とを備える移動局と、
前記移動局との通信を可能にする通信部と、前記プログラムを修正するための修正情報と前記移動局が位置する場所における受信感度情報とが予め格納される記憶部とを備える基地局とを有し、
前記位置検知部は、前記移動局が目的地を特定する位置情報を含む下り信号を受信するとき、前記移動局の現在位置を特定する位置情報を取得し、
前記移動局の通信部は、前記移動局が受信する下り信号に応答して前記現在位置を特定する位置情報を含む上り信号を送信し、
前記基地局の通信部は、前記下り信号を前記移動局に送信し、かつ、前記受信感度情報に基づき、前記目的地と前記位置検出部により特定される現在位置の受信感度が共に良好と判断される場合、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項８】
プログラムが格納される記憶部と、前記プログラムの実行が可能な制御部と、通信機能を持つ通信部とを備える移動局と、
前記移動局との通信を可能にする通信部と、前記プログラムを修正するための修正情報が予め格納される記憶部と、受信信号の電界強度を測定する電界測定部とを備える基地局とを有し、
前記移動局の電界測定部は、前記移動局が前記基地局からの下り信号を受信するとき、前記下り信号の電界強度を測定し、
前記移動局の通信部は、前記測定された下り信号の電界強度が所定の閾値以上である場合、修正情報取得要求を含む上り信号を前記基地局に送信し、
前記基地局の通信部は、前記上り信号を受信するとき、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項９】
プログラムが格納される記憶部と、前記プログラムの実行が可能な制御部と、通信機能を持つ通信部とを備える移動局と、
前記移動局との通信を可能にする通信部と、前記プログラムを修正するための修正情報が予め格納される記憶部とを備える基地局とを有し、
前記移動局の記憶部には、前記基地局が前記移動局に対して下り信号を送信し、前記移動局が前記受信する下り信号に応答して上り信号を送信するとき、前記移動局が前記下り信号を受信してから所定時間内に前記移動局が前記下り信号を再び受信するイベントの発生回数、または、前記移動局が前記下り信号を受信してから所定時間内に前記移動局が前記下り信号を再び受信することのないイベントの発生回数のいずれかが記憶され、
前記移動局の通信部は、所定期間内の前記発生回数が所定の閾値を超えるか否かに応じて、修正情報取得要求を含む上り信号を前記基地局に送信し、
前記基地局の通信部は、前記上り信号を受信するとき、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項１０】
プログラムが格納される記憶部と、前記プログラムの実行が可能な制御部と、通信機能を持つ通信部と、現在位置を検知する位置検知部とを備える移動局と、
前記移動局との通信を可能にする通信部と、前記プログラムを修正するための修正情報と前記移動局が位置する場所における受信感度情報とが予め格納される記憶部とを備える基地局とを有し、
前記位置検知部は、前記移動局の現在位置を特定する位置情報を取得し、
前記移動局の通信部は、前記移動局の記憶部に目的地を特定する位置情報が格納されるとき、受信感度情報取得要求を含む第１の上り信号を前記基地局に送信し、かつ、前記基地局より受信する前記受信感度情報に基づき、前記目的地と前記位置検出部により特定される現在位置の受信感度が共に良好と判断される場合、修正情報取得要求を含む第２の上り信号を前記基地局に送信し、
前記基地局の通信部は、前記第１の上り信号を受信するとき、前記受信感度情報を前記移動局に送信し、かつ、前記第２の上り信号を受信するとき、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項１１】
プログラムが格納される記憶部と、前記プログラムの実行が可能な制御部と、通信機能を持つ通信部と、現在位置を検知する位置検知部とを備える移動局と、
前記移動局との通信を可能にする通信部と、前記プログラムを修正するための修正情報と前記移動局が位置する場所における受信感度情報とが予め格納される記憶部とを備える基地局とを有し、
前記位置検知部は、前記移動局の現在位置を特定する位置情報を取得し、
前記移動局の通信部は、前記移動局が目的地を特定する位置情報を含む下り信号を受信するとき、受信感度情報取得要求を含む第１の上り信号を前記基地局に送信し、かつ、前記基地局より受信する前記受信感度情報に基づき、前記目的地と前記位置検出部により特定される現在位置の受信感度が共に良好と判断される場合、修正情報取得要求を含む第２の上り信号を前記基地局に送信し、
前記基地局の通信部は、前記下り信号を前記移動局に送信し、前記第１の上り信号を受
信するとき、前記受信感度情報を前記移動局に送信し、かつ、前記第２の上り信号を受信するとき、前記修正情報を前記移動局に送信し、
前記制御部は、前記移動局の通信部により受信する前記修正情報に基づき、前記移動局の記憶部に格納される前記プログラムを変更することを特徴とする無線通信システム。
【請求項１２】
プログラムが格納される記憶部と、前記プログラムの実行が可能な制御部と、通信機能を持つ通信部と、現在位置を検知する位置検知部とを備える移動局と、
前記移動局との通信を可能にする通信部と、前記プログラムを修正するための修正情報が予め格納される記憶部とを備える基地局とを有し、
前記位置検知部は、前記移動局の現在位置を特定する位置情報を取得し、
前記移動局の通信部は、前記移動局が所定距離移動する毎に前記基地局に対し前記位置情報を含む第１の上り信号を送信し、前記第１の上り信号を送信してから所定時間内に前記基地局より送信され、受信確認信号と所定の閾値とを含む下り信号を受信しない場合、前記第１の上り信号を再送すると共に、再送した回数を前記移動局の記憶部に記憶し、更に、所定期間内に前記移動局の記憶部に記憶された前記再送回数が所定の閾値を超えない場合、修正情報取得要求を含む第２の上り信号を前記基地局に送信し、
前記基地局の通信部は、前記第１の上り信号を受信するとき、前記移動局に前記下り信号を送信し、前記第２の上り信号を受信するとき、前記修正情報を前記移動局に送信し、
前記移動局の制御部は、前記通信部により受信する前記修正情報に基づき、前記移動局の記憶部に格納される前記プログラムを変更することを特徴とするプログラム動作変更方法。